(57)【要約】      （修正有）【課題】球体の重力を利用して効率良く粉砕することができる粉砕機を提供する。【解決手段】粉砕機Ｆは、本体１と、この本体１内に回転自在に支持された回転体２と、この回転体２内に設けられた複数の球体と、回転体２内に設けられ、球体を係止させる複数の係止体７と、本体１に接続された排気通路８と、この排気通路８内に設けられた吸引ファン９とを有する。回転体２は、被粉砕物３を受け入れる供給口２ａと、回転体２内に設けられた複数の球体で被粉砕物を粉砕し、粉砕された粉砕物を回転体２の外へ排出する複数の排出口２ｂとを有し、複数の排出口２ｂの下方に位置した受入部１ｂで複数の排出口２ｂから排出される粉砕された前記粉砕物を受け入れる。【選択図】図１
0003179698.tif 000002
【実用新案登録請求の範囲】
【請求項１】
本体と、
この本体内に回転自在に支持された回転体と、
この回転体内に設けられた複数の球体と、
前記回転体内に設けられ、前記球体を係止させる複数の係止体と、
前記本体に接続された排気通路と、
この排気通路内に設けられた吸引ファンとを有し、
前記回転体は、被粉砕物を受け入れる供給口と、前記回転体内に設けられた複数の球体で前記被粉砕物を粉砕し、粉砕された粉砕物を前記回転体の外へ排出する複数の排出口とを有し、
前記複数の排出口の下方に位置した受入部で前記複数の排出口から排出される粉砕された前記粉砕物を受け入れられるものであり、
前記回転体は中空円筒で、
前記係止体は前記中空円筒の内側の曲面の内壁から前記中空円筒の中心を向くと共に、前記中空円筒の内側の両端板に亘るように設けられ、前記球体を載置する球体載置部と、前記中空円筒の中心を向く前記球体載置部の先端部に前記球体をストップさせるストッパー部を設けたものである
ことを特徴とする粉砕機。
【請求項２】
本体と、
この本体内に回転自在に支持された回転体と、
この回転体内に設けられた複数の球体と、
前記回転体内に設けられ、前記球体を係止させる複数の係止体と、
前記本体に接続された排気通路と、
この排気通路内に設けられた吸引ファンとを有し、
前記回転体は、古紙を受け入れる供給口と、前記回転体内に設けられた複数の球体で前記古紙を粉砕し、粉砕された古紙を前記回転体の外へ排出する複数の排出口とを有し、
前記複数の排出口の下方に位置した受入部で前記複数の排出口から排出される粉砕された前記古紙を受け入れられるものであり、
前記回転体は中空円筒で、
前記係止体は前記中空円筒の内側の曲面の内壁から前記中空円筒の中心を向くと共に、前記中空円筒の内側の両端板に亘るように設けられ、前記球体を載置する球体載置部と、前記中空円筒の中心を向く前記球体載置部の先端部に前記球体をストップさせるストッパー部を設けたものである
ことを特徴とする粉砕機。
【請求項３】
本体と、
この本体内に回転自在に支持された回転体と、
この回転体内に設けられた複数の球体と、
前記回転体内に設けられ、前記球体を係止させる複数の係止体と、
前記本体に接続された排気通路と、
この排気通路内に設けられた吸引ファンとを有し、
前記回転体は、被粉砕物を受け入れる供給口と、前記回転体内に設けられた複数の球体で前記被粉砕物を粉砕し、粉砕された粉砕物を前記回転体の外へ排出する複数の排出口とを有し、
前記複数の排出口の下方に位置した受入部で前記複数の排出口から排出される粉砕された前記粉砕物を受け入れる
ことを特徴とする粉砕機。
【考案の詳細な説明】
【技術分野】
【０００１】
本考案は、粉砕機に係り、特に、球体の重力を利用して効率良く粉砕することができる粉砕機に関する。
【背景技術】
【０００２】
従来、断熱材としてアスベストが使用されたが、肺気腫の原因物質であることが判明し、使用禁止となり、代替え品として、新聞古紙等を原料として造られる所謂セルローズファイバーが注目されるようになった。
セルローズファイバーを古紙処理で造ろうとすれば、パルパーで古紙原料を溶解し、その後脱水、乾燥、粉砕等をしなければならない。
【考案の概要】
【考案が解決しようとする課題】
【０００３】
そのため、多量の水を使用すること、乾燥と粉砕を伴う点で、効率が良好でないという問題点があった。
【０００４】
本考案は、上記の問題点を除去するように、球体の重力を利用して効率良く粉砕することができる粉砕機を提供することを目的とする。
【課題を解決するための手段】
【０００５】
請求項１記載の粉砕機は、本体と、この本体内に回転自在に支持された回転体と、この回転体内に設けられた複数の球体と、前記回転体内に設けられ、前記球体を係止させる複数の係止体と、前記本体に接続された排気通路と、この排気通路内に設けられた吸引ファンとを有し、前記回転体は、被粉砕物を受け入れる供給口と、前記回転体内に設けられた複数の球体で前記被粉砕物を粉砕し、粉砕された粉砕物を前記回転体の外へ排出する複数の排出口とを有し、前記複数の排出口の下方に位置した受入部で前記複数の排出口から排出される粉砕された前記粉砕物を受け入れられるものであり、前記回転体は中空円筒で、前記係止体は前記中空円筒の内側の曲面の内壁から前記中空円筒の中心を向くと共に、前記中空円筒の内側の両端板に亘るように設けられ、前記球体を載置する球体載置部と、前記中空円筒の中心を向く前記球体載置部の先端部に前記球体をストップさせるストッパー部を設けたものである。
【０００６】
また、請求項２記載の粉砕機は、本体と、この本体内に回転自在に支持された回転体と、この回転体内に設けられた複数の球体と、前記回転体内に設けられ、前記球体を係止させる複数の係止体と、前記本体に接続された排気通路と、この排気通路内に設けられた吸引ファンとを有し、前記回転体は、古紙を受け入れる供給口と、前記回転体内に設けられた複数の球体で前記古紙を粉砕し、粉砕された古紙を前記回転体の外へ排出する複数の排出口とを有し、前記複数の排出口の下方に位置した受入部で前記複数の排出口から排出される粉砕された前記古紙を受け入れられるものであり、前記回転体は中空円筒で、前記係止体は前記中空円筒の内側の曲面の内壁から前記中空円筒の中心を向くと共に、前記中空円筒の内側の両端板に亘るように設けられ、前記球体を載置する球体載置部と、前記中空円筒の中心を向く前記球体載置部の先端部に前記球体をストップさせるストッパー部を設けたものである。
【０００７】
また、請求項３記載の粉砕機は、本体と、この本体内に回転自在に支持された回転体と、この回転体内に設けられた複数の球体と、前記回転体内に設けられ、前記球体を係止させる複数の係止体と、前記本体に接続された排気通路と、この排気通路内に設けられた吸引ファンとを有し、前記回転体は、被粉砕物を受け入れる供給口と、前記回転体内に設けられた複数の球体で前記被粉砕物を粉砕し、粉砕された粉砕物を前記回転体の外へ排出する複数の排出口とを有し、前記複数の排出口の下方に位置した受入部で前記複数の排出口から排出される粉砕された前記粉砕物を受け入れるものである。
【考案の効果】
【０００８】
請求項１記載の粉砕機によれば、回転体の下方にある球体は係止体の球体載置部により載置させられると共に、ストッパー部により係止されて、前記回転体の回転により移動し、その後の前記回転体の回転による移動により前記ストッパー部により係止されていた前記球体が前記ストッパー部を乗り越えて落下し、前記回転体に受け入れられた被粉砕物に衝突して、前記被粉砕物は粉砕され、粉砕された比較的重い粉砕物は受入部に残存し、粉砕された比較的軽い粉砕物は、吸引ファンにより排気通路を介して本体外に排出され、被粉砕物を効率良く粉砕すると共に、粉砕物を軽重により分別することができる。
【０００９】
また、請求項２記載の粉砕機によれば、回転体の下方にある球体は係止体の球体載置部により載置させられると共に、ストッパー部により係止されて、前記回転体の回転により移動し、その後の前記回転体の回転による移動により前記ストッパー部により係止されていた前記球体が前記ストッパー部を乗り越えて落下し、前記回転体に受け入れられた古紙に衝突して、前記古紙は粉砕され、粉砕された比較的重い古紙は受入部に残存し、粉砕された比較的軽い古紙は、吸引ファンにより排気通路を介して本体外に排出され、古紙を効率良く粉砕すると共に、粉砕された前記古紙を軽重により分別することができる。
【００１０】
また、請求項３記載の粉砕機によれば、回転体の下方にある球体は係止体により係止されて、前記回転体の回転により移動し、その後の前記回転体の回転により前記係止体により係止されていた前記球体が前記係止体を乗り越えて落下し、前記回転体に受け入れられた被粉砕物に衝突して、前記被粉砕物は粉砕され、粉砕された比較的重い粉砕物は受入部内に残存し、粉砕された比較的軽い粉砕物は、吸引ファンにより排気通路を介して本体外に排出され、被粉砕物を効率良く粉砕すると共に、粉砕物を軽重により分別することができる。
【図面の簡単な説明】
【００１１】
【図１】図１は、本考案の一実施例の粉砕機の概略的構成図である。
【図２】図２は、図１の２−２線による概略的断面図である。
【考案を実施するための形態】
【００１２】
本発明の一実施例の粉砕機を図面を参照して説明する。
図１に示すＦは粉砕機で、粉砕機Ｆは、本体１と、この本体１内に回転自在に支持された回転体２とを有する。
【００１３】
本体１には、被粉砕物（例えば、古紙）３を受け入れる入口１ａと下方に粉砕された比較的重い粉砕物（例えば、粉砕された古紙）４を受け入れる受入部（例えば、ピット）１ｂ、粉砕された比較的軽い粉砕物の出口１ｃを有している。
なお、本実施例においては、後述する複数の排出口２ｂの下方に位置した受入部１ｂで複数の排出口２ｂから排出される粉砕された粉砕物（例えば、粉砕された古紙）４を受け入れられるものとなっている。
入口１ａの下方には、スクリューコンベヤ５が配置され、スクリューコンベヤ５の先端は、回転体２の供給口２ａに臨んでいる。
被粉砕物は、例えば、古紙で、古紙を粉砕した粉砕物４は、断熱材として使用されるセルロースファイバーとして利用されるものである。
なお、スクリューコンベヤ５は、第１のモータ５１の回転を駆動スプロケット５２、チェーン５３、従動スプロケット５４に伝達し、回転するようになっている。５５は第１の軸受で、５６は第１の軸受５５を支持する第１の軸受支持部材である。
【００１４】
回転体２は、直径２ｍの中空円筒で、内部に複数の球体６、例えば、直径約７０mmの鋼球が約１００個設けられている。
また、回転体２内には、被粉砕物（例えば、古紙）３を受け入れる供給口２ａと、回転体２内に設けられた複数の球体６で粉砕された粉砕物（例えば、粉砕された古紙）４を回転体２の外へ排出する複数の排出口２ｂとが設けられている。
また、回転体２には、球体６を係止させる複数の係止体７が設けられている。
係止体７は前記中空円筒の内側の曲面の内壁２ｃから前記中空円筒の中心を向くと共に、前記中空円筒の内側の両端板２ｄ、２ｅに亘るように設けられた球体６を載置する球体載置部７ａと、前記中空円筒の中心を向く球体載置部７ａの先端部に球体６をストップさせるストッパー部７ｂを設けたものであり、このストッパー部７ｂは、回転体２による回転移動によるストッパー部７ｂの最下位置において、回転体２の回動側に向かった壁部である。
なお、図２は、ストッパー部７ｂの最下位置（Ａ）と、ストッパー部７ｂの最上位置（Ｂ）とが図示されている。
また、回転体２は、第２のモータ２１の回転を駆動スプロケット２２、チェーン２３、従動スプロケット２４に伝達し、回転するようになっている。２５は第２の軸受で、２６は第２の軸受２５を支持する第２の軸受支持部材である。また、２５’は第３の軸受で、２６’は第３の軸受２５’を支持する第３の軸受支持部材である。
【００１５】
また、図１に示す８は、本体１に接続された排気通路で、排気通路８の一方は、出口１ｃに接続され、排気通路８内には、吸引ファン９が設けられている。１０は、バグフィルターである。
【００１６】
従って、上述した粉砕機Ｆによれば、回転体２の下方にある球体６は係止体７の球体載置部７ａにより載置させられると共に、ストッパー部７ｂにより係止されて、回転体２の回転により移動し、その後の回転体２の回転による移動によりストッパー部７ｂにより係止されていた球体６がストッパー部７ｂを乗り越えて落下し、回転体２に受け入れられた被粉砕物（例えば、古紙）３に衝突して、被粉砕物３は粉砕され、排出口２ｂを介して回転体２の外へと排出され、排出物の内、粉砕された比較的重い粉砕物（例えば、粉砕された古紙）４は受入部（例えば、ピット）１ｂに残存し、粉砕された比較的軽い粉砕物は、吸引ファン９により排気通路８を介して本体１外に排出され、被粉砕物（例えば、古紙）３を効率良く粉砕すると共に、粉砕物（例えば、粉砕された古紙）を軽重により分別することができる。
【符号の説明】
【００１７】
Ｆ      粉砕機
１      本体
１ｂ    受入部
２      回転体
２ａ    供給口
２ｂ    排出口
３      被粉砕物
６      球体
７      係止体
８      排気通路
９      吸引ファン
【図１】
0003179698.tif 000003
【図２】
0003179698.tif 000004